(57)【特許請求の範囲】
【請求項１】
部品を取付面にねじ止めする際に使用されるねじ止め用冶具であって、基端側に手指で把持される把持部、先端側に部品を保持する部品保持部をそれぞれ設けるとともに、取付ねじが挿通されるねじ通し穴を、上記部品保持部に保持された部品の取付穴に連通する状態で基端側から先端側までトンネル状に貫通して設けたことを特徴とするねじ止め用冶具。
【請求項２】
ねじ通し穴の先端側に、取付ねじの軸部を弾性的に挟持し得る拡縮変形可能なチャック部を設け、このチャック部の内側に先端側に向かって先すぼまりのテーパ面を設け、このテーパ面が取付ねじの頭部で押されることによりチャック部が拡開して頭部の通過を許容し得るように構成したことを特徴とする請求項１記載のねじ止め用冶具。
【請求項３】
部品保持部として、部品の凸部が嵌まり込む嵌合部を設けたことを特徴とする請求項１または２記載のねじ止め用冶具。
【請求項４】
相対向する一対の突片を、互いの間隔が拡縮する方向に弾性変形可能な状態で設けることによって嵌合部を形成したことを特徴とする請求項３記載のねじ止め用冶具。
【請求項５】
把持部として指先が嵌まり込む窪みを設けたことを特徴とする請求項１乃至４のいずれか１項に記載のねじ止め用冶具。
【発明の詳細な説明】
【技術分野】
【０００１】
本発明は手指が入らない狭所や奥まった部分に各種の部品をねじ止めする際に使用されるねじ止め用冶具に関するものである。
【背景技術】
【０００２】
本発明が適用される部品として、建物の開口部を開閉する引戸に閉じ方向または開き方向のスライドアシスト力を加えるスライドアシスト装置のトリガを挙げることができる。
【０００３】
スライドアシスト装置は、一般には引戸の自動閉じ装置として使用され、原理的には、引戸と戸枠との間に設けた引きバネのバネ力を引戸に閉じ方向のスライドアシスト力として加えるように構成される(たとえば特許文献１,２参照)。
【０００４】
図６,７によって簡単に説明する。
【０００５】
１は戸枠で、この戸枠１内で引戸２が左右にスライドして開口部を開閉する。ここでは引戸２が図の右側にスライドして開き、左側にスライドして閉じるようになっている。
【０００６】
このスライド構造として、戸枠１の上側にガイドレール３が水平に取付けられる一方、このガイドレール３内で転動するガイドローラ４…が引戸２の上部に取付けられている。
【０００７】
ガイドレール３内には、引きバネ及びエア給排機構を内蔵したシリンダ５と、内外二重構造の枠体６とが設けられ、この枠体６に、引きバネのバネ力を引戸２に伝えるバネ力伝達機構７が設けられている。
【０００８】
このバネ力伝達機構７は、シリンダ５の遊端側に水平軸まわりに回動可能に取付けられたスライド部材８と、戸枠側のトリガ９とによって構成される。
【０００９】
スライド部材８には上向きに突出する幅広の突起１０が設けられ、引戸２の閉じ動作の中間ストロークで、図６に示すようにこの突起１０がトリガ９の凸部９ａに係合することにより、引きバネのバネ力がトリガ９に受け止められ、残りの閉じストロークでバネ力が枠体６を通じて引戸２に閉じ方向の力(スライドアシスト力)として加えられる。これにより、引戸２が閉じ位置まで自動的にスライドする。
【００１０】
このようなスライドアシスト装置に用いられるトリガ９は、取付ねじ１１により、トリガ９自身及びガイドレール３の取付穴１２,１３を介して戸枠１の上面にねじ止めされる。
【特許文献１】実開昭５７−７７５７０号公報
【特許文献２】特開２００３−１３８８２８号公報
【発明の開示】
【発明が解決しようとする課題】
【００１１】
この場合、ガイドレール３の開口幅は狭くて手指が入らないため、トリガ９及び取付ねじ１１を直接、手でねじ込み位置に保持することができない。
【００１２】
このため、取付ねじ１１をトリガ９に通した状態で両者をドライバーで保持しつつ位置決めし、ねじ込むといった不安定なやり方しかとれない。また、ねじ込み途中で取付ねじ１１がぐらついて脱落したり傾いたりしてねじ込み作業そのものも面倒となっていた。
【００１３】
この問題は、とくにここで例示したトリガ９のように小さくて、しもか上向きに取付けられる部品に顕著で取付作業の能率がきわめて悪いものとなっており、この点の改善が望まれていた。
【００１４】
そこで本発明は、部品を取付面に簡単に位置決めし、かつ、ねじ止めすることができるねじ止め用冶具を提供するものである。
【課題を解決するための手段】
【００１５】
請求項１の発明は、部品を取付面にねじ止めする際に使用されるねじ止め用冶具であって、基端側に手指で把持される把持部、先端側に部品を保持する部品保持部をそれぞれ設けるとともに、取付ねじが挿通されるねじ通し穴を、上記部品保持部に保持された部品の取付穴に連通する状態で基端側から先端側までトンネル状に貫通して設けたものである。
【００１６】
請求項２の発明は、請求項１の構成において、ねじ通し穴の先端側に、取付ねじの軸部を弾性的に挟持し得る拡縮変形可能なチャック部を設け、このチャック部の内側に先端側に向かって先すぼまりのテーパ面を設け、このテーパ面が取付ねじの頭部で押されることによりチャック部が拡開して頭部の通過を許容し得るように構成したものである。
【００１７】
請求項３の発明は、請求項１または２の構成において、部品保持部として、部品の凸部が嵌まり込む嵌合部を設けたものである。
【００１８】
請求項４の発明は、請求項３の構成において、相対向する一対の突片を、互いの間隔が拡縮する方向に弾性変形可能な状態で設けることによって嵌合部を形成したものである。
【００１９】
請求項５の発明は、請求項１乃至４のいずれかの構成において、把持部として指先が嵌まり込む窪みを設けたものである。
【発明の効果】
【００２０】
本発明のねじ止め用冶具によると、部品保持部に部品を保持した状態で把持部を手で把持し、部品を治具ごと取付面に押し付けて位置決めした状態で、取付ねじをねじ通し穴に基端側から差し込んでねじ込むことにより、部品を取付面に取付けることができる。
【００２１】
すなわち、手指が入らない狭所や奥まった部分でも、冶具が入る開口寸法があれば、どんな場所でも部品を正確に位置決めし、かつ、ねじ通し穴によって取付ねじのぐらつきや傾きを抑えながら簡単に能率良くねじ止めすることができる。
【００２２】
とくに請求項２の発明によると、チャック部によって取付ねじを保持できるため、取付ねじのぐらつきや傾きをより一層確実に防止してねじ止め作業の能率をさらに高めることができる。
【００２３】
しかも、取付ねじをねじ込んでいくと、ねじ頭部とテーパ面の作用によりチャック部が開いてねじ頭部がチャック部を通過し、取付ねじと治具とを自動的に分離させることができる。
【００２４】
また、請求項３,４の発明によると、例示したトリガのように凸部を備えた部品を対象とする場合に、部品保持部として凸部が嵌まり込む嵌合部を設けたから、部品を嵌め込み操作のみによって簡単に保持することができる。
【００２５】
この場合、請求項４の発明によると、弾性変形(拡縮)可能な一対の突片によって嵌合部を形成したから、部品をより簡単に嵌め込み、かつ、弾力で確実に保持することができる。
【００２６】
また、請求項５の発明によると、把持部として手指が嵌まり込む窪みを設けたから、冶具を安定良く把持することができる。
【発明を実施するための最良の形態】
【００２７】
本発明の実施形態を図１〜図５によって説明する。
【００２８】
ここではスライドアシスト装置のトリガ９を取付ねじ１１によりトリガ９自身及びガイドレール３の取付穴１２,１３を介して戸枠１の上面にねじ止めする場合を例にとっている。
【００２９】
この冶具Ａは、ポリプロピレンやジュラコン等の比較的硬質のプラスチックにて長方形の厚板状に形成し、基端側(図の下端側)の左側表裏両面に、手指で把持される把持部としての緩やかな球面状の窪み１４を設けている。
【００３０】
また、先端側(図の上端側)の左側には、トリガ９を保持する部品保持部として、トリガ９の凸部９ａが嵌まり込む嵌合部１５を設けている。
【００３１】
この嵌合部１５は、相対向する左右一対の突片１６,１６を、互いの間隔が拡縮する方向に弾性変形可能な状態で設けることによって形成しており、トリガ９の凸部９ａがこの両突片１６,１６間に弾性的に挟み込まれる状態で嵌合する。
【００３２】
なお、両突片１６,１６の先端は、凸部９ａを前後左右から保持し得るように平面視コの字形に形成している。
【００３３】
一方、治具Ａの右側には、取付ねじ１１が挿通されるねじ通し穴１７(図２〜図５参照)を設けている。
【００３４】
このねじ通し穴１７は、トリガ９を嵌合部１５によって保持した状態でトリガ９の取付穴１２に連通する状態で基端側から先端側までトンネル状に貫通して設けている。
【００３５】
このねじ通し穴１７の先端側には、取付ねじ１１の軸部１１ａを弾性的に保持し得る拡縮変形可能なチャック部１８を設けている。
【００３６】
このチャック部１８は、相対向する左右一対のチャック片１９,１９を、嵌合部１５の突片１６,１６と平行に並設して構成されている。
【００３７】
この両チャック片１９,１９の内側には先端側に向かって先すぼまりのテーパ面２０,２０(図２,５のみに符号を付している)を設け、取付ねじ１１のねじ込み時に、図５(ａ)(ｂ)に示すようにこのテーパ面２０,２０が取付ねじ１１の頭部１１ｂで押されることにより、両チャック片１９,１９が相離間する方向に弾性変形(チャック部１８が拡開)してチャック部１８の先端開口２１が開き、ねじ頭部１１ｂの通過を許容し得るように構成している。
【００３８】
図１中、２２はねじ通し穴１７の基端側において前後の肉厚を確保するために表面側に膨出させた膨出部、２３,２４は成形時のヒケを防止するためのぬすみである。
【００３９】
この冶具Ａは次のように使用される。
【００４０】
図１に示すようにたとえば左手指で表裏の窪み１４をつまんで冶具Ａを持ち、トリガ９の凸部９ａを嵌合部１５に嵌め込んでトリガ９を保持する。
【００４１】
次に、図３に示すように冶具Ａをガイドレール３に下から差し入れ、トリガ９の取付穴１２がガイドレール３の取付穴１３と合致するように位置決めした状態で、取付ねじ１１をねじ通し穴１７に下から挿入して図示しないドライバーで押し込む。
【００４２】
あるいは、先に取付ねじ１１をねじ通し穴１７に押し込み、その先端をトリガ９の取付穴１２に臨ませ、あるいは突出させておいてもよい。
【００４３】
この状態で、取付ねじ１１の軸部１１ａがチャック部１８でチャックされるため、取付ねじ１１全体がねじ通し穴１７内に垂直に保持される。
【００４４】
この後、取付ねじ１１をねじ込むと、図４及び図５(ａ)(ｂ)に示すようにチャック部１８がねじ頭部１１ｂで押されて開き、締め込み完了と同時にねじ頭部１１ｂがチャック部１８から外れる。
【００４５】
この場合、冶具Ａをジュラコンのような硬質プラスチックにて成形しておくと、ねじ頭部１１ｂがチャック部１８から外れた瞬間に、両チャック片１９,１９が復元力により衝突して『パチン』という音と手応えが得られるため、ねじ止め完了がより明らかとなる。
【００４６】
このように、この冶具Ａを用いることにより、手指が入らない狭所かつ奥まった場所であるガイドレール３内でも、冶具Ａが入る開口寸法さえあれば、トリガ９を取付面(戸枠上面)に対し正確に位置決めし、かつ、ねじ通し穴１７によって取付ねじ１１のぐらつきや傾きを抑えながら面簡単に能率良くねじ止めすることができる。
【００４７】
また、この実施形態によると、チャック部１８によって取付ねじ１１を垂直状態に保持できるため、取付ねじ１１のぐらつきや傾きをより一層確実に防止してねじ止め作業の能率をさらに高めることができる。
【００４８】
しかも、取付ねじ１１をねじ込んでいくと、ねじ頭部１１ｂとテーパ面２０,２０の作用によりチャック部１８が開いてねじ頭部１１ｂがチャック部１８を通過し、取付ねじ１１と治具Ａとを自動的に分離させることができる。
【００４９】
さらに、トリガ９の凸部９ａが嵌まり込む嵌合部１５を設けたから、トリガ９を、この嵌合部１５に対する凸部９ａの嵌め込み操作のみによって簡単に保持することができる。
【００５０】
この場合、弾性変形(拡縮)可能な一対の突片１６,１６によって嵌合部１５を形成したから、トリガ９をより簡単に嵌め込み、かつ、弾力で確実に保持することができる。
【００５１】
他の実施形態
(１)  上記実施形態では把持部として手指が嵌まり込む窪み１４を設けたが、この窪み１４に代えてローレット加工等の滑り止め加工を加えて把持部を形成してもよい。あるいは、何の加工も加えない一定の広さを持った面を把持部としてもよい。
【００５２】
(２)  上記実施形態ではチャック部１８によって取付ねじ１１の軸部１１ａをチャックする構成をとったが、このチャック部１８を省略し、取付ねじ１１をねじ通し穴１７に挿通させるだけの構成をとってもよい。
【００５３】
この場合でも、ねじ通し穴１７の周壁によって取付ねじ１１の大きなぐらつきや傾きを抑え、ねじ込み作業の能率化に寄与し得る。
【００５４】
(３)  本発明はトリガ９に限らず、手指が入りにくい場所にねじ止めされる各種部品、そして上向きにねじ止めする場合に限らず横向き等にねじ止めする場合にも適用することができる。この場合、対象となる部品に応じて冶具全体のサイズや形状を選択すればよい。
【００５５】
また、部品保持部についても、対象部品に応じて、たとえば永久磁石で吸着する構成や部品の一部または全体を弾性的に挟み込む構成等をとってもよい。
【図面の簡単な説明】
【００５６】
【図１】本発明の実施形態にかかる治具等を示す斜視図である。
【図２】冶具の断面図である。
【図３】冶具の使用例としてスライドアシスト装置のトリガを戸枠の上面にねじ止めする最初の段階を説明するための断面図である。
【図４】同、最後の段階を説明するための断面図である。
【図５】(ａ)(ｂ)は図４とこれに続く段階を説明するための一部拡大図である。
【図６】スライドアシスト装置全体の構成と作用を説明するための正面図である。
【図７】同分解斜視図である。
【符号の説明】
【００５７】
３  対象部品例としてのトリガが取付けられるガイドレール
９  トリガ
９ａ  トリガの凸部
１１  取付ねじ
１１ａ  取付ねじの軸部
１１ｂ  同頭部
１２  トリガの取付穴
１３  ガイドレールの取付穴
１４  冶具の把持部としての窪み
１５  同嵌合部
１６,１６  嵌合部を構成する突片
１７  ねじ通し穴
１８  チャック部
１９,１９  チャック片
２０,２０  テーパ面
２１  チャック部の先端開口
【図１】
0004441484.tif 000002
【図２】
0004441484.tif 000003
【図３】
0004441484.tif 000004
【図４】
0004441484.tif 000005
【図５】
0004441484.tif 000006
【図６】
0004441484.tif 000007
【図７】
0004441484.tif 000008